(57)【要約】  本発明は、ネットワーク連結によるデータ共有機能運用の便宜性および直観性を提供することができるユーザインターフェースと、これを利用したデータ共有機能を運用するユーザデバイスに関し、本発明は、ネットワーク電子機器間のデータ共有方法において、データ共有機能実行のためのインタラクション入力を感知すれば、ユーザデバイス周辺のネットワーク電子機器を検索する過程と、検索されたネットワーク電子機器を送信側ネットワーク電子機器と受信側ネットワーク電子機器とに区分する過程と、前記検索されたネットワーク電子機器をデータ受信のための領域に区分された第１領域およびデータ伝送のための領域に区分された第２領域にそれぞれ割り当てる過程と、前記第１領域および第２領域に割り当てられたネットワーク電子機器を基盤としてデータ共有機能のためのユーザインターフェースを構成して表示する過程とを含む。
2014519084.tif 000002
【特許請求の範囲】
【請求項１】
ネットワーク電子機器間に制御部で動作可能なデータ共有方法において、
データ共有機能実行のための入力を感知すれば、ユーザデバイス周辺のネットワーク電子機器を検索する過程と、
検索されたネットワーク電子機器を送信側ネットワーク電子機器と受信側ネットワーク電子機器とに区分する過程と、
前記検索されたネットワーク電子機器をデータ受信のための領域に区分された第１領域およびデータ伝送のための領域に区分された第２領域にそれぞれ割り当てる過程と、
前記ネットワーク電子機器を前記第１領域および第２領域にそれぞれ表示する過程と、
対応する前記第１領域および前記第２領域のうち１つに割り当てられたネットワーク電子機器のうち１つを選択することを基盤とてデータ共有機能のためのユーザインターフェースを構成する過程と、を含むことを特徴とするネットワーク電子機器間のデータ共有方法。
【請求項２】
前記割り当てる過程は、
データ送信が可能な少なくとも１つの送信側ネットワーク電子機器を前記第２領域に割り当てる過程と、
データを受信して共有が可能な少なくとも１つの受信側ネットワーク電子機器を前記第１領域に割り当てる過程と、を含むことを特徴とする請求項１に記載のネットワーク電子機器間のデータ共有方法。
【請求項３】
前記ユーザデバイスを前記第１領域および第２領域に割り当てる過程をさらに含むことを特徴とする請求項２に記載のネットワーク電子機器間のデータ共有方法。
【請求項４】
前記ユーザインターフェースは、
前記第１領域および第２領域に割り当てられた各ネットワーク電子機器を象徴するアイテムと、背景イメージのための空間イメージと、移動するデータの方向を指示するビットマップイメージと、を含むことを特徴とする請求項２に記載のネットワーク電子機器間のデータ共有方法。
【請求項５】
前記構成する過程は、
受信側ネットワーク電子機器に対応する多数個のアイテムのための前記第１領域と、送信側ネットワーク電子機器に対応する多数個のアイテムのための前記第２領域とを含んで構成する過程を含むことを特徴とする請求項４に記載のネットワーク電子機器間のデータ共有方法。
【請求項６】
前記構成する過程は、
受信側ネットワーク電子機器に対応する１つのアイテムのための前記第１領域と、送信側ネットワーク電子機器に対応する１つのアイテムのための前記第２領域と、前記第１領域および第２領域に他のネットワーク電子機器への転換のためのナビゲーションアイテムとを含んで構成する過程を含むことを特徴とする請求項４に記載のネットワーク電子機器間のデータ共有方法。
【請求項７】
前記構成する過程は、
受信側ネットワーク電子機器に対応する少なくとも１つのアイテムのための前記第１領域と、送信側ネットワーク電子機器に対応する少なくとも１つのアイテムのための前記第２領域と、前記第２領域の送信側ネットワーク電子機器のアイテム登録および前記第１領域の受信側ネットワーク電子機器のアイテム登録のためのアイテム配置領域とを含んで構成する過程を含み、
前記アイテム配置領域は、
前記第１領域から前記受信側ネットワーク電子機器のアイテム登録のための受信アイテム配置空間と、前記第２領域から送信側ネットワーク電子機器のアイテム登録のための送信アイテム配置空間とを含むことを特徴とする請求項４に記載のネットワーク電子機器間のデータ共有方法。
【請求項８】
前記第１領域から前記アイテム配置領域に移動するアイテムの数によって前記受信アイテム配置空間を形成する過程と、
前記第２領域から前記アイテム配置領域に移動するアイテムの数によって前記送信アイテム配置空間を形成する過程とをさらに含むことを特徴とする請求項７に記載のネットワーク電子機器間のデータ共有方法。
【請求項９】
前記構成する過程は、
ユーザによって決定される連結方式によるガイドラインによって前記ユーザインターフェースを構成する過程を含み、
前記ガイドラインによる構成は、
前記検索されたネットワーク電子機器のための１つのアイテム領域と、前記ガイドラインのためのアイテム配置領域とを含んで構成することを特徴とする請求項１に記載のネットワーク電子機器間のデータ共有方法。
【請求項１０】
前記アイテム配置領域は、送信アイテム配置空間と受信アイテム配置空間とを含み、
前記送信アイテム配置空間と受信アイテム配置空間との間にデータ伝送方向を指示する少なくとも１つのビットマップイメージを含むことを特徴とする請求項９に記載のネットワーク電子機器間のデータ共有方法。
【請求項１１】
前記第１領域からデータ共有のための受信側ネットワーク電子機器を選択する過程と、
前記第２領域からデータ共有のための送信側ネットワーク電子機器を選択する過程と、
前記第２領域のネットワーク電子機器からのアイテムを前記第１領域のネットワーク電子機器へのアイテムに移動するためのインタラクションによってデータ共有を行う過程と、をさらに含むことを特徴とする請求項４に記載のネットワーク電子機器間のデータ共有方法。
【請求項１２】
前記入力を感知すれば、ユーザデバイスのネットワーク連結状態をチェックし、ＤＬＮＡ（Ｄｉｇｉｔａｌ  Ｌｉｖｉｎｇ  Ｎｅｔｗｏｒｋ  Ａｌｌｉａｎｃｅ）基盤のネットワークに連結されているかを確認する過程と、
前記ユーザデバイスがネットワークに連結されていない場合、ネットワーク連結を制御する過程と、をさらに含むことを特徴とする請求項２に記載のネットワーク電子機器間のデータ共有方法。
【請求項１３】
ユーザデバイスにおいて、
データ共有機能によるネットワーク連結を支援する通信モジュールと、
前記データ共有機能の運用のために構成されたユーザインターフェースを表示する表示部と、
前記データ共有機能の実行のためのインタラクションによってネットワーク電子機器を検索し、検索されたネットワーク電子機器を基盤としてデータ共有機能のための前記ユーザインターフェースを構成し、前記ユーザインターフェースを利用した入力によって送信側および受信側ネットワーク電子機器間のデータ共有を制御する制御部と、を含むことを特徴とするユーザデバイス。
【請求項１４】
前記ユーザインターフェースは、
第１領域および第２領域に割り当てられた各ネットワーク電子機器を象徴するアイテムと、背景のための空間イメージと、データの移動方向を指示するビットマップイメージ、を含むことを特徴とする請求項１３に記載のユーザデバイス。
【請求項１５】
前記制御部は、
連結方式によるガイドラインによって前記ユーザインターフェースの構成を制御し、
前記ユーザインターフェースは、
前記検索されたネットワーク電子機器のための１つのアイテム領域と、前記ガイドラインのためのアイテム配置領域およびデータ伝送方向を指示する少なくとも１つのビットマップイメージとを含み、
前記アイテム配置領域は、送信アイテム配置空間と受信アイテム配置空間とに区分されることを特徴とする請求項１３に記載のユーザデバイス。
【発明の詳細な説明】
【技術分野】
【０００１】
本発明は、ネットワーク電子機器間のデータ共有方法およびこれを支援するユーザデバイスに関し、特に本発明は、ネットワーク電子機器間のネットワーク連結によるデータ共有機能運用の便宜性および直観性を提供することができるユーザインターフェースと、これを利用したデータ共有機能を運用するユーザデバイスに関する。
【背景技術】
【０００２】
最近、デジタル技術の発達に伴い、移動通信端末機、ＰＤＡ（Ｐｅｒｓｏｎａｌ  Ｄｉｇｉｔａｌ  Ａｓｓｉｓｔａｎｔ）、電子手帳、スマートフォン、タブレットパソコン（Ｐｅｒｓｏｎａｌ  Ｃｏｍｐｕｔｅｒ）などのように移動しながら通信および個人情報処理が可能なユーザデバイスが多様に市販されている。このようなユーザデバイスは、急速な技術発展に伴って初期の単純な音声通話および短文メッセージ伝送機能から映像通話、電子手帳機能、文書機能、電子メール機能、インターネット機能などのように多様な機能を具備するようになった。
【０００３】
一方、前述したようなユーザデバイスでは、自分のデータを共有する機能を提供している。すなわち、データ共有機能が採用されたユーザデバイス間に連結設定を通じて相互間のデータ送受信を支援し、データ共有機能を支援している。例えば、携帯端末とテレビとの間の連結設定を用いて、携帯端末の動的映像データをテレビを通じて出力することができる。
【０００４】
このように、近年、コンバージョンス（ｃｏｎｖｅｒｇｅｎｃｅ）環境で多様な電子機器間に無線ネットワークを介して連結され、データを共有することができる。このような環境でユーザがユーザデバイスを利用してデータ共有を行うためには、一般的に現在連結可能な装置が何があるかを確認し、連結すべき２個以上の電子機器を選択し、連結するか、または連結された電子機器間にデータがどんな方向または手順に移動するかを設定する手続に従うようになる。したがって、ユーザデバイスでは、データ共有機能実行時の前述した手続進行によるユーザ便宜性のためにユーザインターフェース（ＵＩ、Ｕｓｅｒ  Ｉｎｔｅｒｆａｃｅ）を提供している。
【０００５】
しかし、従来のユーザデバイスでは、ネットワーク連結のためのそれぞれの電子機器をそれぞれ別個のリストから順次に選択する構造の単純なユーザインターフェースを提供している。例えば、従来、単純に手続によるガイドラインを提供する形態のユーザインターフェースを提供し、ユーザは、このようなユーザインターフェースを利用して、データが格納された送信側電子機器のリストから送信側電子機器を選択し、当該送信側電子機器で共有可能なデータのリストから特定データを選択し、その後、選択された特定データを共有する対象である受信側電子機器のリストから受信側電子機器を選択する手続によってデータ共有機能を運用している。
【０００６】
このように、従来の場合、ネットワーク電子機器間の連結のためには、様々なデプス（ｄｅｐｔｈ）にわたってメニュー進入によって特定ネットワーク電子機器を選択し、選択されたネットワーク電子機器で共有のためのデータを選択し、その後、連結しようとする他のネットワーク電子機器を選択する複雑な手続を進行しなければならない。また、従来、リストを用いて単純テキストまたはメニュー進入によって順次にネットワーク電子機器を選択するので、ユーザが連結しようとするネットワーク電子機器間の連結構造、データの移動方向や手順などを具体的に連想しにくいし、そのため、データ共有機能使用性が低下する問題点がある。すなわち、従来、単純テキストおよびメニュー進入による連結方式のみを支援するので、ユーザに視覚的で且つ直観的なユーザインターフェースを支援しない実情である。
【発明の概要】
【発明が解決しようとする課題】
【０００７】
本発明の目的は、ユーザデバイスでデータ共有機能支援のための最適の環境を具現することができるネットワーク電子機器間のデータ共有方法およびこれを支援するユーザデバイスを提供することにある。
【０００８】
本発明の他の目的は、ユーザデバイスでデータ共有のために連結可能なネットワーク電子機器間の連結状態を容易に且つ直観的に認知することができるユーザインターフェースと、前記ユーザインターフェースを利用したデータ共有方法およびこれを支援するユーザデバイスを提供することにある。
【０００９】
本発明のさらに他の目的は、ユーザデバイスのデータ共有機能支援のための最適の環境を具現し、ユーザ便宜性、ユーザデバイスの使用性、およびユーザデバイスの競争力を向上させることができるネットワーク電子機器間のデータ共有方法およびこれを支援するユーザデバイスを提供することにある。
【課題を解決するための手段】
【００１０】
上記目的を達成するために、本発明の実施例による方法は、ネットワーク電子機器間のデータ共有方法において、データ共有機能実行のためのインタラクション入力を感知すれば、ユーザデバイス周辺のネットワーク電子機器を検索する過程と、検索されたネットワーク電子機器を送信側ネットワーク電子機器と受信側ネットワーク電子機器とに区分する過程と、前記検索されたネットワーク電子機器をデータ受信のための領域に区分された第１領域およびデータ伝送のための領域に区分された第２領域にそれぞれ割り当てる過程と、前記第１領域および第２領域に割り当てられたネットワーク電子機器を基盤としてデータ共有機能のためのユーザインターフェースを構成して表示する過程とを含む。
【００１１】
上記目的を達成するために、本発明の実施例では、前記方法をプロセッサで実行させるためのプログラムを記録したコンピュータで読める記録媒体を含む。
【００１２】
上記目的を達成するために、本発明の実施例による装置は、ユーザデバイスにおいて、データ共有機能によるネットワーク連結を支援する通信モジュールと、前記データ共有機能運用のために構成されたユーザインターフェースを表示する表示部と、前記データ共有機能実行のためのインタラクションによってネットワーク電子機器を検索し、検索されたネットワーク電子機器を基盤としてデータ共有機能のための前記ユーザインターフェースを構成し、前記ユーザインターフェースを利用したインタラクションによって送信側および受信側ネットワーク電子機器間のデータ共有を制御する制御部とを含む。
【００１３】
前述したような内容は、当該分野における通常の知識を有する者が後述する本発明の具体的な説明からさらによく理解することができるようにするために、本発明の特徴および技術的な長所を多少広く略述したものである。このような特徴および長所以外にも、本発明の請求範囲の主題を形成する本発明の追加的な特徴および長所が後述する本発明の具体的な説明からよく理解されることができる。
【００１４】
前述したように、本発明において提案するネットワーク電子機器間のデータ共有方法および装置によれば、ネットワーク電子機器間のネットワーク連結によるデータ共有機能運用の便宜性および直観性を提供することができる。本発明によれば、データ共有を目的とする送信側のネットワーク電子機器のための第１領域と、データ共有のための連結対象になる受信側ネットワーク電子機器のための第２領域とに区分し、区分された第１領域および第２領域それぞれに３次元アイテムを通じて各ネットワーク電子機器を直観的に示し、第１領域および第２領域のネットワーク電子機器間にデータ伝送方向、手順、進行状態などを指示するアイテムよりなるユーザインターフェースを支援する。このようなユーザインターフェース支援によってユーザデバイスでネットワーク電子機器間の連結によるデータ共有機能をさらに容易に且つ直観的に運用することができる。
【００１５】
本発明によれば、ユーザは、ネットワーク電子機器間にデータ送受信と関連した広範囲な使用環境（例えば、ネットワーク電子機器間の動的映像ストリーミング、データ伝送、多数のネットワーク電子機器間のデータ共有設定など）でさらに直観的で且つ理解しやすいユーザ環境を支援することができる。このような本発明のデータ共有機能は、すべての形態のユーザデバイスおよびそれに対応する多様なネットワーク電子機器で具現されることができる。このように、本発明では、ユーザデバイスでネットワーク電子機器間のデータ共有機能支援のための最適の環境を具現することができる。したがって、本発明によれば、ユーザデバイスでデータ共有機能に対するユーザの便宜性を向上させ、ユーザデバイスの使用性および競争力を向上させるのに寄与することができる。
【図面の簡単な説明】
【００１６】
【図１】図１は、本発明の実施例によるデータ共有環境を説明するための概略的なシステム構成を示す図である。
【図２】図２は、本発明の実施例によるユーザデバイスの構成を概略的に示す図である。
【図３】図３は、本発明の実施例によるユーザデバイスでデータ共有時に支援するユーザインターフェース説明のために概略的に示す図である。
【図４】図４は、本発明の実施例によるユーザデバイスでデータ共有時に支援するユーザインターフェース説明のために概略的に示す図である。
【図５】図５は、本発明の実施例によるユーザデバイスでデータ共有時に支援するユーザインターフェース説明のために概略的に示す図である。
【図６】図６は、本発明の実施例によるユーザデバイスでデータ共有時に支援するユーザインターフェース説明のために概略的に示す図である。
【図７】図７は、本発明の実施例によるユーザデバイスでデータ共有時に支援するユーザインターフェースの他の例示説明のために概略的に示す図である。
【図８】図８は、本発明の実施例によるユーザデバイスでデータ共有時に支援するユーザインターフェースの他の例示説明のために概略的に示す図である。
【図９】図９は、本発明の実施例によるユーザデバイスでデータ共有時に支援するユーザインターフェースの他の例示説明のために概略的に示す図である。
【図１０】図１０は、本発明の実施例によるユーザデバイスでデータ共有機能を運用する動作の例示を示す図である。
【図１１】図１１は、本発明の実施例によるユーザデバイスでデータ共有機能を運用する動作の例示を示す図である。
【図１２】図１２は、本発明の実施例よってネットワーク電子機器間の連結時にデータ共有が実行される画面例示を示す図である。
【図１３】図１３は、本発明の実施例によるユーザデバイスでデータ共有機能運用方法を示す流れ図である。
【発明を実施するための形態】
【００１７】
以下、添付の図面を参照して本発明の好ましい実施例を詳しく説明する。この際、添付の図面で同一の構成要素は、できるだけ同一の符号で示していることに留意しなければならない。また、本発明の要旨を不明にすることができる公知機能および構成に関する詳細な説明を省略する。すなわち、下記の説明では、本発明の実施例による動作を理解するのに必要な部分だけが説明され、その以外の部分の説明は、本発明の要旨を不明にしないように省略されることを留意しなければならない。
【００１８】
提案する本発明は、ネットワーク連結による有線通信および無線通信のうち少なくとも１つの通信を支援する電子機器（以下、ネットワーク電子機器）間の相互連結を通じて相互間のデータを交換することができるデータ共有環境を支援するためのものである。例えば、本発明によれば、データ共有環境でユーザデバイスは、周辺に存在する多数のネットワーク電子機器とネットワークを連結することができる。そして、ユーザデバイスのデータを少なくとも１つの他のネットワーク電子機器と共有するか、他のネットワーク電子機器のデータをユーザデバイスで共有するか、ユーザデバイスを通じて他のネットワーク電子機器にあるデータをさらに他のネットワーク電子機器と共有を支援することができる。
【００１９】
この際、本発明では、ユーザデバイスを利用して多数のネットワーク電子機器間のデータ共有のための操作の便宜性および直観性を考慮したユーザインターフェースを提供する。本発明では、前述したように、データ共有による多様な方式のうちいずれか１つの方式でデータ共有機能実行時、与えられたネットワークを通じて連結された各ネットワーク電子機器に対して視覚的なアイテムで示すことができる。すなわち、ネットワーク電子機器を象徴する３次元イメージ形態のアイテムを提供することができる。そして、連結されたネットワーク電子機器を示すとき、少なくとも２個の区分された領域を通じてデータを伝送する送信側に利用可能なネットワーク電子機器（以下、送信側電子機器）とデータを受信する受信側に利用可能なネットワーク電子機器（以下、受信側電子機器）を区分して示すことができる。そして、送信側電子機器と受信側電子機器が選択された状態で、ユーザインタラクションによって当該電子機器間のネットワーク連結を自動設定し、データ共有を支援することができる。
【００２０】
以下、本発明の実施例によるユーザデバイスの構成およびその動作制御方法について下記図面を参照して説明する。しかし、本発明の実施例によるユーザデバイスの構成およびその制御方法が下記で記述する内容に制限されるか、または限定されるものではないので、下記の実施例に基づいて多様な実施例に適用することができることに留意しなければならない。
【００２１】
図１は、本発明の実施例によるデータ共有環境を説明するための概略的なシステム構成を示す図である。
【００２２】
図１を参照すれば、データ共有のための本発明のシステムは、多数のネットワーク電子機器１１０、１２０、１３０、１４０と、前記ネットワーク電子機器１１０、１２０、１３０、１４０間の与えられた通信方式による連結のためのネットワーク１５０とを含んで構成される。
【００２３】
本発明において前記ネットワーク電子機器１１０、１２０、１３０、１４０は、与えられたネットワーク１５０を介してネットワーク連結され、データ共有機能を支援するすべての情報通信機器、マルチメディア機器、ディスプレイデバイスおよびそれに対する応用機器を含むことができる。例えば、前記ネットワーク電子機器は、多様な通信システムに対応する各通信プロトコル（ｃｏｍｍｕｎｉｃａｔｉｏｎ  ｐｒｏｔｏｃｏｌｓ）に基づいて動作する移動通信端末機を含めて、タブレットパソコン（Ｐｅｒｓｏｎａｌ  Ｃｏｍｐｕｔｅｒ）、スマートフォン（Ｓｍａｒｔ  Ｐｈｏｎｅ）、ＰＭＰ（Ｐｏｒｔａｂｌｅ  Ｍｕｌｔｉｍｅｄｉａ  Ｐｌａｙｅｒ）、デジタル放送プレーヤー、ミュージックプレーヤー、ＰＤＡ（Ｐｅｒｓｏｎａｌ  Ｄｉｇｉｔａｌ  Ａｓｓｉｓｔａｎｔ）、デジタルカメラ（Ｄｉｇｉｔａｌ  Ｃａｍｅｒａ）、携帯ゲーム端末、テレビ（Ｔｅｌｅｖｉｓｉｏｎ）、モニター（Ｍｏｎｉｔｏｒ）、デスクトップコンピュータ（Ｄｅｓｋｔｏｐ  ｃｏｍｐｕｔｅｒ）、ラップトップコンピュータ（ｌａｐｔｏｐ  ｃｏｍｐｕｔｅｒ）、ＬＦＤ（Ｌａｒｇｅ  Ｆｏｒｍａｔ  Ｄｉｓｐｌａｙ）、ＤＳ（Ｄｉｇｉｔａｌ  Ｓｉｇｎａｇｅ）、メディアポール（ｍｅｄｉａ  ｐｏｌｅ）などの電子機器を含む。
【００２４】
本発明において前記ネットワーク１５０は、ＤＬＮＡ（Ｄｉｇｉｔａｌ  Ｌｉｖｉｎｇ  Ｎｅｔｗｏｒｋ  Ａｌｌｉａｎｃｅ）を基盤として具現されることを代表的にする。前記ＤＬＮＡは、多様なネットワーク電子機器間にネットワーク１５０を通じて音楽、静的映像、動的映像などのデータを自由に共有することができるようにする規格を示す。前記ＤＬＮＡを支援するネットワーク電子機器は、ネットワーク１５０を介して相互間のデータを共有することができる。
【００２５】
一方、本発明においてデータ共有機能は、ユーザデバイスを利用していつ、どこで他のネットワーク電子機器と無線連結でデータを共有するか、または異なるネットワーク電子機器間の無線連結を制御し、データを共有することができる機能を示す。したがって、ユーザは、データ共有機能が採用されたネットワーク電子機器に格納されたデータを他のネットワーク電子機器と共有して再生したり格納するなどを行うことができる。例えば、ユーザは、ユーザデバイスに格納された動的映像データをテレビ無線ネットワーク連結を通じて伝送し、テレビによる再生および出力が可能である。
【００２６】
一方、本発明によるユーザデバイスでは、前述したようなデータ共有機能による便宜性および直観性のためのユーザインターフェースを提供する。本発明において前記ユーザインターフェースは、共有するデータを有するソースネットワーク電子機器（すなわち、送信側ネットワーク電子機器）を示す第１領域、共有される前記データを受信する対象ネットワーク電子機器（すなわち、受信側ネットワーク電子機器）を示す第２領域、データが送信される方向性を指示するビットマップイメージ（Ｂｉｔｍａｐ  ｉｍａｇｅ）タイプの指示子などを含むことができる。特に、本発明において前記第１領域および第２領域は、ユーザデバイスで検索された多様なネットワーク電子機器を識別することができる３次元のイメージが現われることができる。そして、前記第１領域および第２領域にそれぞれ配置されたネットワーク電子機器は、ユーザインタラクションによってナビゲーションが可能である。このような本発明のユーザインターフェースに対する詳細構成について後述する。
【００２７】
このような本発明によって、ラップトップコンピュータやデスクトップコンピュータに格納された音楽ファイルをユーザデバイスに別に格納する必要なく再生して出力することができる。または、ユーザデバイスでＴＶ−ＯＵＴのような別途の連結手続を行うことなく、ユーザデバイスに格納された静的映像または動的映像をネットワーク連結されたテレビを通じて直ちに再生および出力することができる。または、ユーザデバイスでネットワーク連結されたラップトップコンピュータの動的映像などをネットワーク連結されたテレビにフォワーディングし、再生および出力することができる。
【００２８】
図２は、本発明の実施例によるユーザデバイスの構成を概略的に示す図である。
【００２９】
図２を参照すれば、本発明のユーザデバイスは、通信モジュール２１０、表示部２３０、格納部２５０、および制御部２７０を含んで構成される。その他、前記ユーザデバイスは、マイクとスピーカーを具備するオーディオ処理部、デジタル放送（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）の受信と再生を行うためのデジタル放送モジュール、被写体の静的映像および動的映像撮影のためのカメラモジュール、ブルートゥース（ＢＬＵＥＴＯＯＴＨ（登録商標））通信、赤外線（ＩｒＤＡ、Ｉｎｆｒａｒｅｄ  Ｄａｔａ  Ａｓｓｏｃｉａｔｉｏｎ）通信、ＲＦＩＤ（Ｒａｄｉｏ  Ｆｒｅｑｕｅｎｃｙ  Ｉｄｅｎｔｉｆｉｃａｔｉｏｎ）通信、ＮＦＣ（Ｎｅａｒ  Ｆｉｅｌｄ  Ｃｏｍｍｕｎｉｃａｔｉｏｎ）などのような近距離無線通信基盤の通信機能を支援するための少なくとも１つの近距離通信モジュール、タッチ基盤の入力を支援するためのタッチパッドおよびタッチスクリーン、物理的なキー入力を支援する入力部、移動通信基盤の通信機能を支援するための無線周波数（ＲＦ、Ｒａｄｉｏ  Ｆｒｅｑｕｅｎｃｙ）モジュール、そして上記のような構成に電源供給のためのバッテリー（ｂａｔｔｅｒｙ）などの構成をさらに含むことができるが、それらに対する説明と図示は省略する。
【００３０】
前記通信モジュール２１０は、ＤＬＮＡ基盤のネットワーク通信を支援するためのモジュールを示す。特に、前記通信モジュール２１０は、有線通信または無線通信による周辺の他のネットワーク電子機器とネットワーク連結を支援し、これにより、データ共有によるデータ送受信を処理することができる。本発明において前記通信モジュール２１０は、ネットワーク１５０のアクセスポイント（ＡＰ、Ａｃｃｅｓｓ  Ｐｏｉｎｔ）を通じて他のネットワーク電子機器との有線通信または無線通信によってデータ送受信を処理する。
【００３１】
前記表示部２３０は、ユーザデバイスの動作状態およびその実行動作と関連したデータを表示することができる。例えば、前記表示部２３０は、ユーザデバイスのホームスクリーン（ｈｏｍｅ  ｓｃｒｅｅｎ）、メッセージ機能、検索機能、通信機能、電子本（例えば、ｅ−ｂｏｏｋ）機能、静的映像／動的映像再生機能、移動放送再生機能、音楽再生機能、ゲーム機能などユーザデバイスで支援するアプリケーションの実行画面を示すことができる。本発明の実施例において前記表示部２３０は、データ共有機能運用時にネットワーク電子機器間のネットワーク連結による便宜性および直観性のためのユーザインターフェース（ＵＩ、Ｕｓｅｒ  Ｉｎｔｅｒｆａｃｅ）を提供することができる。特に、本発明において前記表示部２３０は、ユーザデバイスのデータ共有機能実行時にネットワーク電子機器を少なくとも２個の異なる領域を通じて送信側電子機器と受信側電子機器に区分して示すことができる。前記表示部２３０においてデータ共有機能運用のために提供するユーザインターフェースによる画面例示について後述する。
【００３２】
そして、本発明において前記表示部２３０は、液晶表示装置（ＬＣＤ、Ｌｉｑｕｉｄ  Ｃｒｙｓｔａｌ  Ｄｉｓｐｌａｙ）が使用されることが一般的であるが、発光ダイオード（ＬＥＤ、Ｌｉｇｈｔ  Ｅｍｉｔｔｉｎｇ  Ｄｉｏｄｅ）、有機発光ダイオード（ＯＬＥＤ、Ｏｒｇａｎｉｃ  ＬＥＤ）、能動型ＯＬＥＤ（ＡＭＯＬＥＤ、Ａｃｔｉｖｅ  Ｍａｔｒｉｘ  ＯＬＥＤ）などのような他の表示装置が使用されることもできる。また、前記表示部２３０は、前述したような実行画面（例えば、データ共有機能実行によるネットワーク電子機器の提供画面）を表示するとき、前記ユーザデバイスの回転方向（または配置される方向）によって横モードを提供するか、または縦モードを提供することができる。しかも、本発明の実施例において前記表示部２３０は、タッチ基盤の入力を支援するインターフェースを具備することができる。例えば、前記表示部２３０は、タッチスクリーン構成によってタッチ基盤のユーザインタラクション入力を支援し、前記ユーザインタラクション入力による入力信号を生成し、前記制御部２７０に伝達することができる。
【００３３】
前記格納部２５０は、前記ユーザデバイスで実行され処理される各種プログラムとデータを格納し、１つ以上の非揮発性メモリと揮発性メモリで構成されることができる。本発明において前記非揮発性メモリは、ＲＯＭ（Ｒｅａｄ  Ｏｎｌｙ  Ｍｅｍｏｒｙ）、フラッシュメモリー（ｆｌａｓｈ  ｍｅｍｏｒｙ）などに対応することができ、前記揮発性メモリーは、ＲＡＭ（Ｒａｎｄｏｍ  Ａｃｃｅｓｓ  Ｍｅｍｏｒｙ）などに対応することができる。そして、格納部２５０は、前記ユーザデバイスの運営体制、前記表示部２３０の表示制御動作と関連したプログラムとデータ、前記表示部２３０を利用した入力制御動作と関連したプログラムとデータ、ユーザデバイスのデータ共有機能制御動作と関連したプログラムとデータなどを持続的にまたは一時的に格納することができる。
【００３４】
そして、前記格納部２５０は、音楽ファイル、動的映像ファイル、静的映像ファイル、および文書ファイルなどを格納することができる。しかも、前記格納部２５０は、多様なネットワーク電子機器を直観的に区分することができるようにイメージ形象化された多数個のアイテムを格納することができる。また、前記格納部２５０は、本発明のデータ共有機能運用のための多様な設定情報を格納することができる。本発明において前記設定情報は、前記表示部２３０に表示されるデータ共有機能による画面（例えば、ユーザインターフェース）の横モードまたは縦モード支援に対する情報などを格納することができる。
【００３５】
前記制御部２７０は、前記ユーザデバイスの全般的な動作を制御する。特に、前記制御部２７０は、本発明のデータ共有機能運用と関連した動作を制御することができる。例えば、前記制御部２７０は、データ共有アプリケーション実行を制御し、データ共有アプリケーション実行時に前記通信モジュール２１０によって周辺のネットワーク電子機器検索を制御することができる。そして、前記制御部２７０は、検索されたネットワーク電子機器のうちデータ送信が可能な少なくとも１つのネットワーク電子機器を第１領域に割り当て、データを受信して出力が可能な少なくとも１つのネットワーク電子機器を第２領域に割り当てた後、前記第１領域および第２領域に先立って割り当てられた各ネットワーク電子機器を象徴する３次元のアイテムを配置することによって、ユーザインターフェース構成を制御することができる。
【００３６】
そして、前記制御部２７０は、前記第２領域でデータ共有のためのソースネットワーク電子機器選択および前記第１領域でデータ共有のための対象ネットワーク電子機器が決定され、前記第１領域のソースネットワーク電子機器を第２領域の対象ネットワーク電子機器に移動するユーザインタラクションによってデータ共有を制御することができる。
【００３７】
このような前記制御部２７０の詳細制御動作について後述する図面を参照したユーザデバイスの動作例示およびその制御方法で説明される。
【００３８】
そして、前記制御部２７０は、前記機能以外に前記ユーザデバイスの通常的な機能と関連した各種動作を制御することができる。例えば、前記制御部２７０は、特定アプリケーション実行時にその運用および画面表示を制御することができる。また、制御部２７０は、タッチ基盤の入力インターフェースで支援する多様な入力方式に対応する入力信号を受信し、それによる機能運用を制御することができる。また、制御部２７０は、有線通信基盤または無線通信基盤で各種データの送受信を制御することができる。
【００３９】
図３〜図６は、本発明の実施例によるユーザデバイスでデータ共有時に支援するユーザインターフェース説明のために概略的に示す図である。
【００４０】
図３〜図６のようなユーザインターフェースの画面構成は、ユーザデバイスのタイプ、表示部のサイズ、ユーザ設定方式などによって現われることができる。
【００４１】
図３〜図６に示されたように、本発明のユーザインターフェースは、現実の実際空間に基づく空間イメージ３００、４００、５００、６００を背景として提供し、前記空間イメージ３００、４００、５００、６００上に少なくとも２個に区分された領域を通じてネットワーク電子機器に対応する少なくとも２個のアイテムが提供されることができる。この際、前記少なくとも２個の領域を通じて提供される各アイテムは、各ネットワーク電子機器の形態を描写した３次元の静的イメージまたは動的イメージになることができ、このようなアイテムは、前記空間イメージ３００、４００、５００、６００と３次元イメージが結合され、増強現実（ａｕｇｍｅｎｔｅｄ  ｒｅａｌｉｔｙ）形態で表現されることができる。すなわち、本発明において支援するユーザインターフェースによれば、アニメーションを通じてデータの移動方向に対する方向性を視覚的に表現することができる。そして、ネットワーク電子機器の象徴になるイメージを利用して送信側ネットワーク電子機器と受信側ネットワーク電子機器を示すことができる。
【００４２】
そして、本発明において前記少なくとも２個の領域は、データ共有機能によってデータを受信する主体になる受信側電子機器を示すための第１領域３１０、４１０、５１０、６１０と、データ共有機能によってデータを送信する主体になる送信側電子機器を示すための第２領域３３０、４３０、５３０、６３０とを含むことができる。
【００４３】
そして、第１領域３１０、４１０、５１０、６１０には、受信側電子機器に対応する少なくとも１つのアイテムが提供され、第２領域３３０、４３０、５３０、６３０には、送信側電子機器に対応する少なくとも１つのアイテムが提供されることができる。図３、図４および図６の場合、第１領域３１０、４１０、５１０、６１０に多数個のネットワーク電子機器に対する多数個のアイテムが提供され、第２領域３３０、４３０、５３０、６３０に多数個のネットワーク電子機器に対する多数個のアイテムが提供される場合の例を示す。図５の場合、第１領域３１０、４１０、５１０、６１０に１つのネットワーク電子機器に対する１つのアイテムが提供され、第２領域３３０、４３０、５３０、６３０に１つのネットワーク電子機器に対する１つのアイテムが提供される場合の例を示す。
【００４４】
また、本発明の実施例によれば、図３〜図５に示されたように、前記第１領域３１０、４１０、５１０のアイテム（受信側ネットワーク電子機器を指示するアイテム）と第２領域３３０、４３０、５３０のアイテム（送信側ネットワーク電子機器を指示するアイテム）との間に方向性を有するビットマップイメージ（Ｂｉｔｍａｐ  ｉｍａｇｅ）３２０、４２０、５２０を示すことができる。前記ビットマップイメージ３２０、４２０、５２０は、送信側ネットワーク電子機器と受信側ネットワーク電子機器間のデータの伝送方向、順序および構成を指示するためのアイテムに該当することができる。
【００４５】
また、本発明の実施例によれば、図３および図４に示されたように、第１領域３１０、４１０および第２領域３３０、４３０それぞれに多数個のアイテムを提供する方式の場合、現在選択されたネットワーク電子機器の容易な識別のために各領域の中央部に位置するアイテムに対して所定のサイズに拡大しながら浮かべるフローティング（ｆｌｏａｔｉｎｇ）形態で提供することができる。図３の場合、役目によって同一の属性（例えば、送信側または受信側区分による属性）を有するネットワーク電子機器を各領域３１０、３３０で水平に並べてホイール（Ｗｈｅｅｌ）基盤のスクロール制御することができるようにし、実際連結されるネットワーク機器間は、垂直に整列された場合を示す。そして、図４の場合、役目によって同一の属性を有するネットワーク電子機器を各領域４１０、４３０で垂直に並べてスクロール制御することができるようにし、実際連結されるネットワーク機器間は、垂直に整列された場合を示す。
【００４６】
また、本発明の実施例によれば、図５に示されたように、第１領域５１０および第２領域５３０それぞれに１つのアイテムが提供する方式の場合、追加的なネットワーク電子機器が左右に整列されて存在することを通知するナビゲーションアイテム５５０を提供することができる。したがって、ユーザは、第１領域５１０または第２領域５３０でナビゲーションアイテム５５０にインタラクションを入力（例えば、タップ入力）するか、スライド（Ｓｌｉｄｅ）、フリック（Ｆｌｉｃｋ）、ドラッグアンドドロップ（Ｄｒａｇ  ａｎｄ  Ｄｒｏｐ）などのジェスチャー入力を通じてアイテム転換を行うことができる。
【００４７】
また、本発明の実施例によれば、２個以上のネットワーク電子機器をユーザ任意に一対一（１：１）、一対多（１：Ｎ）、多対多（Ｎ：Ｎ）、または多対一（Ｎ；１）で連結し、データ共有を支援することができる。したがって、これによるユーザ便宜のために図６に示されたように、第１領域６１０および第２領域６３０以外にユーザによって送信側ネットワーク電子機器のアイテムと受信側ネットワーク電子機器のアイテムを配置することができるアイテム配置領域６５０をさらに提供することができる。前記アイテム配置領域６５０は、多数の受信側ネットワーク電子機器のアイテムを登録する受信アイテム配置空間６７０と送信側ネットワーク電子機器のアイテムを登録する送信アイテム配置空間６９０に区分されることができる。そして、受信アイテム配置空間６７０と送信アイテム配置空間６９０との間に前述したような方向性を有するビットマップイメージ６２０が提供されることができる。本発明において前記受信アイテム配置空間６７０と送信アイテム配置空間６９０の区分は、登録されるアイテムが第１領域６１０のアイテムであるかまたは第２領域６３０のアイテムであるかによって区分されられることができる。
【００４８】
したがって、ユーザが第１領域６１０で１つ以上のネットワーク電子機器に対する第１アイテムを前記アイテム配置領域６５０に移動するインタラクション（例えば、フリック、ドラッグアンドドロップなどのジェスチャー）入力時に前記１つ以上の第１アイテムの数によって受信アイテム配置空間６７０が形成されることができる。そして、ユーザが第２領域６３０で１つ以上のネットワーク電子機器に対する第２アイテムを前記アイテム配置領域６５０に移動するインタラクション入力時に前記１つ以上の第２アイテムの数によって送信アイテム配置空間６９０が形成されることができる。例えば、ユーザが送信側ネットワーク電子機器を１個として決定し、受信側ネットワーク電子機器を３個として決定した場合を仮定する。すなわち、ユーザが一対三（１：３）方式でネットワーク電子機器を連結し、データ共有機能を運用する場合を仮定する。これによって、ユーザは、第１領域６１０で決定された３個のネットワーク電子機器に対する３個のアイテムを順次にアイテム配置領域６５０に移動することができる。それでは、前記アイテム配置領域６５０では、３個の受信アイテム配置空間６７０が活性化され、当該アイテムが現われることができる。そして、ユーザは、第２領域６３０で決定された１個のネットワーク電子機器に対する１個のアイテムをアイテム配置領域６５０に移動することができる。それでは、前記アイテム配置領域６５０では、１個の送信アイテム配置空間６９０が活性化され、当該アイテムが現われることができる。
【００４９】
ここで、図６では、第１領域６１０および第２領域６３０に多数個のアイテムが提供される場合を例示として示したが、図６のような方式の場合にも、第１領域６１０および第２領域６３０に図５のように各領域６１０、６３０に１つのアイテムとナビゲーションアイテムをそれぞれ示すこともできる。
【００５０】
一方、図６とは異なる方式として、本発明では、一対一、一対多、多対多、多対一で対応するガイドラインを提供し、第１領域および第２領域の区分なしにネットワーク連結が可能な、すなわち検索されたネットワーク電子機器に対するアイテムを１つの領域に提供することができる。このような場合、ユーザは、選択したガイドラインによってアイテムが登録された領域で送信のためのアイテムと受信のためのアイテムをそれぞれ登録することによって、ネットワーク電子機器のネットワーク連結を構成することができる。このような例示が図７〜図９に示されている。
【００５１】
図７〜図９は、本発明の実施例によるユーザデバイスでデータ共有時に支援するユーザインターフェースの他の例示説明のために概略的に示す図である。
【００５２】
図７は、本発明で一対一方式のネットワーク連結のためのガイドラインが提供される場合の例示を示し、図８および図９は、本発明において一対多方式のネットワーク連結のためのガイドラインが提供される場合の例示を示す。
【００５３】
図７〜図９に示されたように、本発明のユーザインターフェースは、ユーザによって決定される一対一、一対多、多対多、多対一方式のうちいずれか１つの連結方式によるガイドラインを提供することができる。本発明において前記ガイドラインは、前述したようなアイテム配置領域のように送信アイテム配置空間７１０、８１０、９１０と受信アイテム配置空間７３０、８３０、９３０に区分されることができる。そして、送信アイテム配置空間７１０、８１０、９１０と受信アイテム配置空間７３０、８３０、９３０との間に前述したような方向性を有する少なくとも１つのビットマップイメージ７５０、８５０、９５０が提供されることができる。そして、図７〜図９に示されたように、ネットワーク連結のために検索されたネットワーク電子機器に対するアイテムが送信側電子機器のための領域と受信側電子機器のための領域の区分なしに１つのアイテム領域７００を通じて提供されることができる。
【００５４】
図７は、ユーザが一対一方式選択によって一対一のガイドラインが現われた場合を示す。
【００５５】
図７を参照すれば、ユーザは、一対一方式で提示されたガイドラインによって送信アイテム配置空間７１０に送信側アイテムを登録し、受信アイテム配置空間７３０に受信側アイテムを登録することによって、ネットワーク連結を構成することができる。例えば、ユーザは、検索されたネットワーク電子機器を象徴するアイテムが提供されるアイテム領域７００でデータ共有のための送信側ネットワーク電子機器のアイテムを選択し、送信アイテム配置空間７１０に移動するインタラクション（例えば、ドラッグアンドドロップジェスチャー）を入力することができる。それでは、前記送信アイテム配置空間７１０が活性化され、当該アイテムが現われることができる。そして、ユーザは、前記アイテム領域７００からデータ共有のための受信側ネットワーク電子機器のアイテムを選択し、受信アイテム配置空間７３０に移動するインタラクションを入力することができる。それでは、前記受信アイテム配置空間７３０が活性化され、当該アイテムが現われることができる。この際、図７に示されたように、送信側アイテムから受信側アイテムへの送信方向を指示するビットマップイメージ７５０が現われることができる。すなわち、送信アイテム配置空間７１０と受信アイテム配置空間７３０との間にビットマップイメージ７５０が現われることができる。
【００５６】
図８は、ユーザが一対二方式選択によって一対二ガイドラインが現われた場合を示し、図９は、ユーザが一対四方式選択によって一対四のガイドラインが現われた場合を示す。
【００５７】
図８および図９を参照すれば、図７を参照した説明部分で説明したような手続によって送信アイテム配置空間８１０、９１０に１つの送信側アイテムを登録し、受信アイテム配置空間８３０、９３０それぞれに多数の受信側アイテムを登録することができる。この際、図８および図９に示されたように、受信側アイテムの数によって送信側アイテムから各受信側アイテムへの伝送方向を指示するビットマップイメージ８５０、９５０が多数個で現われることができる。すなわち、送信アイテム配置空間８１０、９１０と各受信アイテム配置空間８３０、９３０との間ごとにビットマップイメージ８５０、９５０が現われることができる。
【００５８】
一方、図７〜図９では、その図示および説明は省略したが、前述したような現実の実際空間に基づく空間イメージが背景として提供されることができることは勿論である。このような場合、図７〜図９で説明されたガイドラインは、前記空間イメージ上に現われることができる。
【００５９】
図１０および図１１は、本発明の実施例によるユーザデバイスでデータ共有機能を運用する動作の例示を示す図である。そして、図１２は、本発明の実施例によってネットワーク電子機器間の連結時にデータ共有が実行される画面例示を示す図である。
【００６０】
図１０を参照すれば、図１０は、データ共有機能実行後に特定データを選択する場合においてデータ共有機能を運用する例示を示すものである。まず、ユーザは、ユーザデバイスを利用してデータ共有機能を行うことができる（１００１段階）。例えば、ユーザは、ユーザデバイスを操作し、データ共有アプリケーション実行を制御することができる。それでは、ユーザデバイスは、ユーザの実行要請に応答してデータ共有機能を実行し、機能実行時に周辺のネットワーク電子機器を検索することができる（１００３段階）。
【００６１】
次に、前記ユーザデバイスは、検索されたネットワーク電子機器を送信側ネットワーク電子機器と受信側ネットワーク電子機器のように属性を区分し、異なる領域（例えば、第１領域および第２領域）にそれぞれ配置して表示することができる（１００５段階）。この際、前記第１領域と前記第２領域に配置されて表示されるアイテムは、前記検索された各ネットワーク電子機器のタイプによって区分された３次元形状のイメージとして現われることができる。例えば、ノートパソコン、スマトホーン、テレビなどのタイプによって当該タイプを表現することができる３次元形状のイメージとして提供されることができる。このような例示が前述したような図３〜図６に示されている。
【００６２】
次に、ユーザは、前記第１領域および第２領域に現われた各ネットワーク電子機器に対応するアイテムを基盤として共有しようとするデータを有する送信側ネットワーク電子機器と、前記データを伝達し、共有しようとする受信側ネットワーク電子機器を選択決定することができる（１００７段階）。ここで、前記送信側ネットワーク電子機器で前記ユーザデバイスが選択決定されるか、または前記受信側ネットワーク電子機器として前記ユーザデバイスが選択決定されることができる。すなわち、ユーザは、ユーザデバイスのデータを他のネットワーク電子機器で共有するか、または他のネットワーク電子機器のデータをユーザデバイスで共有することができる。または、ユーザは、前記ユーザデバイスを除いた他のネットワーク電子機器として送信側ネットワーク電子機器と受信側ネットワーク電子機器を選択決定することができる。すなわち、ユーザは、他のネットワーク電子機器のデータをさらに他のネットワーク電子機器で共有することができる。
【００６３】
次に、ユーザは、先立って決定されたネットワーク電子機器を基盤としてデータ共有のためのインタラクションを入力することができる（１００９段階）。例えば、ユーザは、先立って図３のように与えられたユーザインターフェースの例示で送信側アイテムを受信側アイテムに移動するインタラクション（例えば、フリック、ドラッグアンドドロップなどのジェスチャー）を入力することができる。それでは、前記ユーザデバイスは、内部的に送信側アイテムのネットワーク電子機器と受信側アイテムのネットワーク電子機器間のネットワーク連結を制御することができる。本発明において前記ネットワーク連結は、ＤＬＮＡ基盤で連結されることを仮定するが、各ネットワーク電子機器が支援する他のネットワーク方式（例えば、ブルートゥース通信方式、ワイファイダイレクト（Ｗｉ−Ｆｉ  Ｄｉｒｅｃｔ）通信方式など）によって連結されることができることは勿論である。
【００６４】
次に、ユーザデバイスは、ユーザの前記インタラクションに応答して共有可能なデータに対するデータリストを表示することができる（１０１１段階）。ここで、前記共有可能なデータは、上記で送信側アイテムとして選択されたネットワーク電子機器のデータであることができる。すなわち、もし前記送信側アイテムとして選択されたネットワーク電子機器が前記ユーザデバイスである場合、前記データは、前記ユーザデバイスに格納されたデータであることができる。または、前記送信側アイテムとして選択されたネットワーク電子機器が前記ユーザデバイスに連結された他のネットワーク電子機器である場合、前記データは、前記他のネットワーク電子機器に格納されたデータであることができる。
【００６５】
次に、ユーザは、前記ユーザデバイスを通じて提示されたデータリストから共有しようとする特定データを選択することができる（１０１３段階）。それでは、前記ユーザデバイスは、ユーザのデータ選択に応答して当該データの共有を制御することができる（１０１５段階）。すなわち、前記ユーザデバイスは、前記選択されたデータをネットワーク連結された受信側アイテムに対応するネットワーク電子機器に伝送することによってデータ共有を行うことができる。この際、前記データ共有は、前記データを受信側ネットワーク電子機器を通じて再生（例えば、動的映像再生、静的映像再生、ミュージック再生など）するものであるか、または前記データを受信側ネットワーク電子機器に格納するものであることができる。
【００６６】
前記データ共有によって前記ユーザデバイスで提供される画面例示が図１２に示されている。図１２に示されたように、送信側ネットワーク電子機器を象徴するアイテム１２１０と受信側ネットワーク電子機器を象徴するアイテム１２３０が空間イメージ前記増強現実形態で表現されることができる。そして、前記送信側ネットワーク電子機器と受信側ネットワーク電子機器間のネットワーク連結によるデータ共有と関連した付加情報１２５０が一緒に提供されることができる。本発明において前記付加情報１２５０は、伝送されるデータのサムネイル（ｔｈｕｍｂｎａｉｌ）、データ共有による進行程度などを指示する少なくとも１つのアイテムとして現われることができる。
【００６７】
図１１を参照すれば、図１１は、共有しようとする特定データが先に選択された場合においてデータ共有機能を運用する例示を示すものである。まず、ユーザは、ユーザデバイスにあらかじめ格納されたデータのうちデータ共有のための特定データを選択することができる（１２０１段階）。そして、ユーザは、前記選択されたデータのデータ共有のためのデータ共有機能を行うことができる（１２０３段階）。それでは、ユーザデバイスは、ユーザの実行要請に応答してデータ共有機能を実行し、機能実行時に周辺のネットワーク電子機器を検索することができる（１２０５段階）。
【００６８】
次に、前記ユーザデバイスは、検索されたネットワーク電子機器を送信側ネットワーク電子機器と受信側ネットワーク電子機器のように属性を区分し、異なる領域（例えば、第１領域および第２領域）にそれぞれ配置して表示することができる（１２０７段階）。この際、前記第１領域および前記第２領域に配置されて表示されるアイテムは、前述したように、前記検索された各ネットワーク電子機器のタイプによってそれらを象徴することができる３次元形状のイメージとして現われることができる。ここで、図１２の場合、ユーザデバイスに格納されたデータを共有しようとする場合の一例示を示すものである。したがって、前記送信側ネットワーク電子機器が配置される第２領域の場合、前記ユーザデバイスを象徴するアイテムが自動割当されて現われることができる。
【００６９】
次に、ユーザは、前記第１領域に現われた各ネットワーク電子機器に対応するアイテムを基盤で前記ユーザデバイスから選択された前記特定データを共有しようとする対象である受信側ネットワーク電子機器を選択決定することができる（１２０９段階）。
【００７０】
次に、ユーザは、ユーザデバイスと先立って決定された受信側ネットワーク電子機器間のデータ共有のためのインタラクションを入力することができる（１２１１段階）。例えば、ユーザは、図３のように与えられたユーザインターフェースの例示で送信側アイテム（すなわち、図１１では、ユーザデバイスを象徴するアイテム）を受信側アイテムに移動するインタラクション（例えば、フリック、ドラッグアンドドロップなどのジェスチャー）を入力することができる。それでは、前記ユーザデバイスは、内部的に自分と前記受信側アイテムのネットワーク電子機器間のネットワーク連結を制御することができる。本発明において前記ネットワーク連結は、ＤＬＮＡ基盤で連結されることを仮定するが、ユーザデバイスとネットワーク電子機器が支援する他のネットワーク方式（例えば、ブルートゥース通信方式、ワイファイダイレクト通信方式など）によって連結されることができることは勿論である。
【００７１】
次に、前記ユーザデバイスは、ユーザの前記インタラクションに応答して前記特定データの共有を制御することができる（１２１３段階）。すなわち、前記ユーザデバイスは、前記特定データをネットワーク連結された受信側アイテムに対応するネットワーク電子機器に伝送することによってデータ共有を行うことができる。この際、前記データ共有は、前記特定データを受信側ネットワーク電子機器を通じて再生（例えば、動的映像再生、静的映像再生、ミュージック再生など）するものであるか、または前記データを受信側ネットワーク電子機器に格納するものであることができる。前記データ共有によって前記ユーザデバイスで提供される画面例示が前述したような図１２に示されている。
【００７２】
一方、図１１では、その図示および説明を省略したが、前述したように、データ共有のためのデータがあらかじめ選択された後、データ共有機能が実行されるとき、図３のような例示で送信側アイテムと受信側アイテムとの間に共有されるデータに対するサムネイルが方向性を指示するアイテムとともに提供されることもできる。
【００７３】
図１３は、本発明の実施例によるユーザデバイスでデータ共有機能運用方法を示す流れ図である。
【００７４】
図１３を参照すれば、制御部２７０は、データ共有機能実行のためのインタラクション入力を感知すれば（１３０１段階）、ユーザデバイスのネットワーク連結状態をチェックすることができる（１３０３段階）。例えば、制御部２７０は、ユーザデバイスが通信モジュール（２１０）を通じてＤＬＮＡ基盤のネットワークに連結されているかを確認することができる。
【００７５】
次に、制御部２７０は、ユーザデバイスがネットワークに連結されている場合（１３０３段階のＹＥＳ）１３０７段階に進行し、ユーザデバイスがネットワークに連結されていない場合（１３０３段階のＮＯ）、ネットワーク連結を制御することができる（１３０５段階）。
【００７６】
次に、制御部２７０は、前記ユーザデバイス周辺のネットワーク電子機器を検索することができる（１３０７段階）。例えば、制御部２７０は、前記ネットワークに連結された他のネットワーク電子機器を検索することができる。
【００７７】
次に、制御部２７０は、検索されたネットワーク電子機器を送信側ネットワーク電子機器と受信側ネットワーク電子機器のように属性を区分することができる（１３０９段階）。そして、制御部２７０は、属性別に区分されたネットワーク電子機器を異なる領域（例えば、第１領域および第２領域）にそれぞれ割り当てることができる（１３１１段階）。例えば、制御部２７０は、検索されたネットワーク電子機器のうちデータ送信が可能な少なくとも１つのネットワーク電子機器を前記第１領域に割り当て、データを受信して共有（例えば、再生または格納）が可能な少なくとも１つのネットワーク電子機器を前記第２領域に割り当てることができる。この際、制御部２７０は、前記ユーザデバイスに対して第１領域および第２領域に自動割当することができる。
【００７８】
次に、制御部２７０は、ユーザインターフェースを構成して表示することができる（１３１３段階）。例えば、制御部２７０は、前記第１領域および第２領域に割り当てられた各ネットワーク電子機器を象徴するアイテムと現実の実際空間に基づく空間イメージ、データの移動方向性を指示するビットマップイメージなどを利用して増強現実形態で表現される図３〜図６で説明したようなユーザインターフェースを構成し、表示部２３０を通じて示すことができる。
【００７９】
その後、制御部２７０は、前述したように、データ共有機能実行によるユーザインターフェースを提供した後、前記ユーザインターフェースを利用したユーザの運用によってネットワーク電子機器間のデータ共有による全般的な運用を制御することができる。例えば、制御部２７０は、ユーザ操作によって第１領域でデータ共有のための受信側ネットワーク電子機器を選択し、第２領域でデータ共有のための送信側ネットワーク電子機器を選択することができる。そして、第２領域のネットワーク電子機器に対するアイテムを第１領域のネットワーク電子機器に対するアイテムに移動するユーザインタラクションによってデータ伝送と関連した動作を制御することができる。
【００８０】
一方、前述したような本発明のネットワーク電子機器間のデータ共有方法は、多様なコンピュータ手段を通じて行われることができるプログラム命令形態で具現され、コンピュータで読み取り可能な記録媒体に記録されることができる。この際、前記コンピュータで読み取り可能な記録媒体は、プログラム命令、データファイル、データ構造などを単独でまたは組み合わせて含むことができる。一方、記録媒体に記録されるプログラム命令は、本発明のために特別に設計され構成されたものであるか、コンピュータソフトウェア当業者に公知されて使用可能なものであってもよい。
【００８１】
前記コンピュータで読み取り可能な記録媒体には、ハードディスク、フロッピー（登録商標）ディスクおよび磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプチカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、およびＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどのようなプログラム命令を格納し実行するように特別に構成されたハードウェア装置が含まれる。また、プログラム命令には、コンパイラーによって作われるもののような機械語コードだけでなく、インタプリターなどを使用してコンピュータによって実行されることができる高級言語コードを含む。前述したハードウェア装置は、本発明の動作を行うために１つ以上のソフトウェアモジュールとして作動するように構成されることができ、その逆も同様である。
【００８２】
そして、本発明の属する技術分野の当業者は、前述した本発明がその技術的思想や必須特徴を変更することなく、他の具体的な形態で実施されることができることを理解することができる。したがって、以上で記述した実施例は、すべての面で例示的なものであって、限定的なものではないものと理解しなければならない。そして、本発明の範囲は、前記詳細な説明よりは、後述する特許請求範囲によって示され、特許請求範囲の意味および範囲そしてその等価概念から導出されるすべての変更または変形された形態が本発明の範囲に含まれるものと解釈されなければならない。
【００８３】
一方、本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも本発明の技術的思想に基づく他の変形例が実施可能であるということは、本発明の属する技術分野における通常の知識を有する者に自明である。
【符号の説明】
【００８４】
１１０、１２０、１３０、１４０  ネットワーク電子機器
１５０  ネットワーク
２１０  通信モジュール
２３０  表示部
２５０  格納部
２７０  制御部
３１０、４１０、５１０、６１０  送信側ネットワーク電子機器のための第１領域
３２０、４２０、５２０、６２０  データ伝送方向指示のためのビットマップイメージ
３３０、４３０、５３０、６３０  受信側ネットワーク電子機器のための第２領域
５５０  ナビゲーションアイテム
６５０  アイテム配置領域
【図３】
2014519084.tif 000003
【図４】
2014519084.tif 000004
【図５】
2014519084.tif 000005
【図６】
2014519084.tif 000006
【図７】
2014519084.tif 000007
【図８】
2014519084.tif 000008
【図９】
2014519084.tif 000009
【図１２】
2014519084.tif 000010
【図１】
2014519084.tif 000011
【図２】
2014519084.tif 000012
【図１０】
2014519084.tif 000013
【図１１】
2014519084.tif 000014
【図１３】
2014519084.tif 000015
【国際調査報告】
2014519084.tif 000016
2014519084.tif 000017